(57)【要約】【課題】  書換可能な光ディスクの書換回数が書換不能になる前の所定の回数に達すると、ユーザに警告を行なう光ディスク記録装置を提供する。【解決手段】  制御部１６は記録再生部１１に対し、書換処理や書換回数の表示処理の場合、ディスクＤ１の管理領域から書換回数を読み出す第１の読出指示を送る。制御部１６は書換回数が所定の値よりも大きい場合、所定の警告を表示するように表示部９に指示する。また、制御部１６は初期化処理の際に、ディスクＤ１の管理領域から書換回数および初期化回数を読み出すよう記録再生部１１に第２の読出指示を送り、ディスクＤ１から読み出された書換回数および初期化回数を記憶する。書換回数が限界に達する前に予めユーザに警告を行なうとともに、初期化処理を行なっても書換回数が失われないのでユーザの利便性が向上する。【選択図】        図１
2006252597.tif 000002
【特許請求の範囲】
【請求項１】
書換可能な光ディスクに対して記録を行なう光ディスク記録装置であって、
前記光ディスクは、データ情報が記録されるデータ領域と、前記データ情報の書換が行なわれた回数である書換回数および前記光ディスクの初期化回数が記録される管理領域とを含み、
前記光ディスク記録装置は、
前記データ領域に前記データ情報を記録するとともに、前記管理領域に前記書換回数の記録および再生を行なう記録再生部と、
第１、第２の警告指示に応じて前記書換回数に関する第１、第２の警告をそれぞれ表示する表示部と、
前記記録再生部および前記表示部を制御する制御部とを備え、
前記制御部は、外部からの書換指示に応じて前記管理領域から前記書換回数の読出しを行わせる第１の読出指示を前記記録再生部に送り、前記書換回数が第１のしきい値と第２のしきい値との間である第１の範囲にある場合には前記第１の警告指示を出力し、前記書換回数が前記第２のしきい値より多い第２の範囲にある場合には前記第２の警告指示を出力し、
前記制御部は、前記第１の警告指示または前記第２の警告指示を出力した後、実行指示を外部からさらに受けたときに、前記データ情報を書換えるとともに前記管理領域に記録されている前記書換回数を更新するように前記記録再生部に指示し、
前記制御部は、外部から表示指示を受けた場合には、前記第１の読出指示を出力して前記管理領域から前記書換回数を読出すよう前記記録再生部に指示するとともに前記データ情報の書換えを行なわず、前記表示部に前記書換回数を表示させ、前記表示指示に応じて前記記録再生部から取得した前記書換回数が、前記第１の範囲にある場合には前記第１の警告指示を前記表示部に送り、前記第２の範囲にある場合には前記第２の警告指示を前記表示部に送り、
前記制御部は、前記光ディスクを初期化する場合には、前記書換回数および前記初期化回数を前記管理領域から読み出すように第２の読出指示を前記記録再生部に送り、前記記録再生部から取得した前記書換回数および前記初期化回数を内部に記憶した後に、前記光ディスクを初期化するように前記記録再生部に指示し、
前記制御部は、前記光ディスクの初期化終了後に記憶する前記初期化回数を更新し、内部に記憶する前記書換回数および更新後の初期化回数を前記光ディスクに記録するように前記記録再生部に指示する、光ディスク記録装置。
【請求項２】
書換可能な光ディスクに対して記録を行なう光ディスク記録装置であって、
前記光ディスクは、データ情報が記録されるデータ領域と、前記データ情報の書換が行なわれた回数である書換回数が記録される管理領域とを含み、
前記光ディスク記録装置は、
前記データ領域に前記データ情報を記録するとともに、前記管理領域に前記書換回数の記録および再生を行なう記録再生部と、
第１、第２の警告指示に応じて前記書換回数に関する第１、第２の警告をそれぞれ表示する表示部と、
前記記録再生部および前記表示部を制御する制御部とを備え、
前記制御部は、外部からの書換指示に応じて前記管理領域から前記書換回数の読出しを行わせる第１の読出指示を前記記録再生部に送り、前記書換回数が第１のしきい値と第２のしきい値との間である第１の範囲にある場合には前記第１の警告指示を出力し、前記書換回数が前記第２のしきい値より多い第２の範囲にある場合には前記第２の警告指示を出力し、
前記制御部は、前記第１の警告指示または前記第２の警告指示を出力した後、実行指示を外部からさらに受けたときに、前記データ情報を書換えるとともに前記管理領域に記録されている前記書換回数を更新するように前記記録再生部に指示する、光ディスク記録装置。
【請求項３】
前記制御部は、外部から表示指示を受けた場合には、前記第１の読出指示を出力して前記管理領域から前記書換回数を読出すよう前記記録再生部に指示するとともに前記データ情報の書換えを行なわず、前記表示部に前記書換回数を表示させる、請求項２に記載の光ディスク記録装置。
【請求項４】
前記制御部は、前記表示指示に応じて前記記録再生部から取得した前記書換回数が、前記第１の範囲にある場合には前記第１の警告指示を前記表示部に送り、前記第２の範囲にある場合には前記第２の警告指示を前記表示部に送る、請求項３に記載の光ディスク記録装置。
【請求項５】
前記管理領域には、前記光ディスクの初期化回数がさらに記録され、
前記制御部は、前記光ディスクを初期化する場合には、前記書換回数および前記初期化回数を前記管理領域から読み出すように第２の読出指示を前記記録再生部に送り、前記記録再生部から取得した前記書換回数および前記初期化回数を内部に記憶した後に、前記光ディスクを初期化するように前記記録再生部に指示し、
前記制御部は、前記光ディスクの初期化終了後に記憶する前記初期化回数を更新し、内部に記憶する前記書換回数および更新後の初期化回数を前記光ディスクに記録するように前記記録再生部に指示する、請求項２に記載の光ディスク記録装置。
【発明の詳細な説明】
【技術分野】
【０００１】
本発明は光ディスク記録装置に関し、特に光ディスク記録装置において行なわれる書換処理および初期化処理に関する。
【背景技術】
【０００２】
従来、書換型の光ディスクとしてＣＤ−ＲＷ（Compact Disc-Rewritable）やＭＤ（Mini Disc），ＤＶＤ−ＲＷ（Digital Versatile Disc-Rewritable），ＤＶＤ−ＲＡＭ（Digital Versatile Disc-Random Access Memory）などが知られている。
【０００３】
書換型の光ディスクにおいては、以前に記録した情報を消去しながら新しい情報を記録する重ね書きが何回可能であるかという書換可能回数が重要になる。書換寿命に達した（書換回数が限界に達した）光ディスクには情報を正常に書込むことができない。よって書換型の光ディスクにおいてデータの書換回数を管理することが必要になる。
【０００４】
書換型光ディスクにおけるディスク書換回数の管理方法に関する技術が従来提案されている。たとえば特開平８−１８５６７５号公報（特許文献１）では、記録媒体情報管理領域、ユーザ情報管理領域およびユーザ領域をフォーマット中に含む書換型光記録媒体において、ユーザ情報管理領域が光記録媒体の設定された書換回数以上の数のユーザ情報管理ブロックを有することを特徴とする、書換型光記録媒体が開示される。この書換型光記録媒体では設定された書換回数以上の数のユーザ情報管理ブロックをユーザ情報管理領域が有し、設定された書換回数が予め記録媒体情報管理領域に記録されているので、ディスクの履歴を残すことが可能となり、書換回数の管理が容易になる。また、この書換型光記録媒体では、光記録媒体の書換回数が設定された書換回数以上であるときにユーザに書換操作を中止させる。
【０００５】
また、特開平６−２６７２４３号公報（特許文献２）では、情報の記録位置等からなる情報の管理情報を記憶する記憶手段を備え、記憶手段にディスクに記録されている管理情報を再生して記憶し、ディスクからの情報の再生の際に記憶手段から読出す管理情報をもとにディスクから情報を再生して情報のディスクへの記録の際に新たに発生した管理情報を記憶手段およびディスクに記録することを特徴とするディスク装置が開示されている。このディスク装置では、情報の再生において管理情報を半導体メモリから読出すことによってディスクへのアクセスをなくすことができるのでアクセス回数が減ることにより情報の再生に要する時間を減らすことができる。
【０００６】
一方、光ディスクに記録されたデータをすべて消去するためにディスクの初期化が行なわれるが、初期化によりデータだけでなくデータに関する管理情報も消去される。管理情報の消失を防ぐための従来技術として、たとえば特開２００４−１９９７８７号公報（特許文献３）では書換可能な記録媒体に複数の記録フォーマットを記録できるファイル管理方法において、各々の記録フォーマットで記録を行なうときに利用できる情報を内容とするコモンファイルを設け、記録フォーマットを変更する際に変更前の記録フォーマットからコモンファイルを引継ぐことを特徴とするファイル管理方法が開示される。このファイル管理方法によれば管理情報の記録領域への書換回数を管理するコモンファイルが引継がれる。
【０００７】
また、特開平５−２８６４４号公報（特許文献４）では、書換型メディアをユーザごとにデータを記録するセクタにより構成されるユーザブロックと、このユーザブロックを管理する管理ブロックに区分し、管理ブロックには各ユーザブロックの最終記録セクタのアドレスを記録し、初期化する際に最終記録アドレスで示す領域までの初期化を行なうことによって必要範囲のみフォーマット化し、フォーマットの記録を残してデータの記録履歴を残すことが可能な書換型メディア管理方法が開示される。
【特許文献１】特開平８−１８５６７５号公報
【特許文献２】特開平６−２６７２４３号公報
【特許文献３】特開２００４−１９９７８７号公報
【特許文献４】特開平５−２８６４４号公報
【発明の開示】
【発明が解決しようとする課題】
【０００８】
特開平８−１８５６７５号公報（特許文献１）に開示された技術のように、設定された記録回数以上になると光記録媒体への書換を中止させる方法では、ユーザは書込処理を開始したときに、初めてそのディスクが書換寿命に達したディスクであることを知る。この場合、ユーザは情報を記録するために光ディスクを別途用意しなければならないので、ユーザの利便性が低下する。
【０００９】
また、特開２００４−１９９７８７号公報（特許文献３）に開示された技術では、管理情報の記録回数のみが管理され、映像や音楽などのデータ情報がデータ領域に記録された回数が残らないので、ユーザはデータ領域の記録回数を知ることができない。
【００１０】
この発明の上述の課題を解決するものであって、その目的は、書換可能な光ディスクの書換回数が書換不能になる前の所定の回数に達すると、ユーザに警告を行なう光ディスク記録装置を提供することである。
【課題を解決するための手段】
【００１１】
本発明は要約すれば、書換可能な光ディスクに対して記録を行なう光ディスク記録装置であって、光ディスクは、データ情報が記録されるデータ領域と、データ情報の書換が行なわれた回数である書換回数および光ディスクの初期化回数が記録される管理領域とを含み、光ディスク記録装置は、データ領域にデータ情報を記録するとともに、管理領域に書換回数の記録および再生を行なう記録再生部と、第１、第２の警告指示に応じて書換回数に関する第１、第２の警告をそれぞれ表示する表示部と、記録再生部および表示部を制御する制御部とを備える。
【００１２】
制御部は、外部からの書換指示に応じて管理領域から書換回数の読出しを行わせる第１の読出指示を記録再生部に送り、書換回数が第１のしきい値と第２のしきい値との間である第１の範囲にある場合には第１の警告指示を出力し、書換回数が第２のしきい値より多い第２の範囲にある場合には第２の警告指示を出力する。
【００１３】
制御部は、第１の警告指示または第２の警告指示を出力した後、実行指示を外部からさらに受けたときに、データ情報を書換えるとともに管理領域に記録されている書換回数を更新するように記録再生部に指示する。
【００１４】
制御部は、外部から表示指示を受けた場合には、第１の読出指示を出力して管理領域から書換回数を読出すよう記録再生部に指示するとともにデータ情報の書換えを行なわず、表示部に書換回数を表示させ、表示指示に応じて記録再生部から取得した書換回数が、第１の範囲にある場合には第１の警告指示を表示部に送り、第２の範囲にある場合には第２の警告指示を表示部に送る。
【００１５】
制御部は、光ディスクを初期化する場合には、書換回数および初期化回数を管理領域から読み出すように第２の読出指示を記録再生部に送り、記録再生部から取得した書換回数および初期化回数を内部に記憶した後に、光ディスクを初期化するように記録再生部に指示する。
【００１６】
制御部は、光ディスクの初期化終了後に記憶する初期化回数を更新し、内部に記憶する書換回数および更新後の初期化回数を光ディスクに記録するように記録再生部に指示する。
【００１７】
本発明の他の局面に従うと、書換可能な光ディスクに対して記録を行なう光ディスク記録装置であって、光ディスクは、データ情報が記録されるデータ領域と、データ情報の書換が行なわれた回数である書換回数が記録される管理領域とを含み、光ディスク記録装置は、データ領域にデータ情報を記録するとともに、管理領域に書換回数の記録および再生を行なう記録再生部と、第１、第２の警告指示に応じて書換回数に関する第１、第２の警告をそれぞれ表示する表示部と、記録再生部および表示部を制御する制御部とを備える。
【００１８】
制御部は、外部からの書換指示に応じて管理領域から書換回数の読出しを行わせる第１の読出指示を記録再生部に送り、書換回数が第１のしきい値と第２のしきい値との間である第１の範囲にある場合には第１の警告指示を出力し、書換回数が第２のしきい値より多い第２の範囲にある場合には第２の警告指示を出力する。
【００１９】
制御部は、第１の警告指示または第２の警告指示を出力した後、実行指示を外部からさらに受けたときに、データ情報を書換えるとともに管理領域に記録されている書換回数を更新するように記録再生部に指示する。
【００２０】
好ましくは、制御部は、外部から表示指示を受けた場合には、第１の読出指示を出力して管理領域から書換回数を読出すよう記録再生部に指示するとともにデータ情報の書換えを行なわず、表示部に書換回数を表示させる。
【００２１】
より好ましくは、制御部は、表示指示に応じて記録再生部から取得した書換回数が、第１の範囲にある場合には第１の警告指示を表示部に送り、第２の範囲にある場合には第２の警告指示を表示部に送る。
【００２２】
好ましくは、光ディスクの管理領域には、光ディスクの初期化回数がさらに記録され、制御部は、光ディスクを初期化する場合には、書換回数および初期化回数を管理領域から読み出すように第２の読出指示を記録再生部に送り、記録再生部から取得した書換回数および初期化回数を内部に記憶した後に、光ディスクを初期化するように記録再生部に指示する。
【００２３】
制御部は、光ディスクの初期化終了後に記憶する初期化回数を更新し、内部に記憶する書換回数および更新後の初期化回数を光ディスクに記録するように記録再生部に指示する。
【発明の効果】
【００２４】
本発明の光ディスク記録装置によれば、書換処理を行なう前に予め光ディスクから書換回数を読出し、書換回数に応じてユーザに警告を行なうことにより、ユーザがそのディスクの書換回数が限界に近づいているか否かを把握できるのでユーザの利便性が向上する。
【００２５】
また、本発明の光ディスク記録装置によれば、初期化の際に予め書換回数の情報を光ディスクから読み出して記憶し、記憶しておいた書換回数の情報を初期化後のディスクに記録することによって初期化前の書換回数の情報を保持することができるので、初期化後もユーザはディスクの書換回数を把握することができる。よってユーザの利便性が向上する。
【発明を実施するための最良の形態】
【００２６】
以下において、本発明の実施の形態について図面を参照して詳しく説明する。なお、図中同一符号は同一または相当部分を示す。
【００２７】
図１は、本発明の実施の形態の光ディスク記録装置の概略ブロック図である。図１を参照して、光ディスク記録装置１は書換可能な光ディスクであるディスクＤ１に対して記録を行なう光ディスク記録装置である。光ディスク記録装置１は、ディスクＤ１が挿入されるローダ４、制御基板６、ＡＶ入出力／電源基板８、表示部９、指示入力部１０、記録再生部１１を備える。なお、ディスクＤ１は、たとえばＤＶＤ−ＲＷ，ＤＶＤ−ＲＡＭ，ＣＤ−ＲＷ，ＭＤなどである。
【００２８】
ローダ４はディスクＤ１を搬送するための装置である。ローダ４は、光ピックアップユニット（ＯＰＵ：Optical Pickup Unit）１２を含む。
【００２９】
ディスクＤ１は、データ情報が記録されるデータ領域と、データ領域にデータ情報の書換が行なわれた回数である書換回数とディスクの初期化回数とが記録される管理領域とを含む。ＯＰＵ１２はディスクＤ１に対して情報の再生や情報の記録を行なうための光を照射するとともに、ディスクＤ１からの反射光を受光して電気信号に変換出力する。
【００３０】
制御基板６はエンコーダ１４と制御部１６とを含む。エンコーダ１４はＯＰＵ１２からの出力信号を符号化して、制御部１６に送る。なお、ＯＰＵ１２およびエンコーダ１４は記録再生部１１を構成する。記録再生部１１は映像や音声などのデータ情報をディスクＤ１に記録する。また、記録再生部１１はディスクＤ１に対し、書換回数と初期化回数とを記録するとともに再生する。
【００３１】
制御部１６は記録再生部１１に対し、書換処理や書換回数を表示する表示処理の場合、ディスクＤ１の管理領域から書換回数を読み出す第１の読出指示を送る。制御部１６は書換回数が所定の値よりも大きい場合、所定の警告を表示するように表示部９に指示する。また、制御部１６は初期化処理の際に、ディスクＤ１の管理領域から書換回数および初期化回数を読み出すよう記録再生部１１に第２の読出指示を送り、ディスクＤ１から読み出された書換回数および初期化回数を記憶する。書換回数が限界に達する前に予めユーザに警告を行なうとともに、初期化処理を行なっても書換回数が失われないのでユーザの利便性が向上する。なお、警告を表示するための条件および警告の内容の詳細は後述する。
【００３２】
また、書換回数および初期化回数は制御部１６に記憶されるが、たとえば図示しない半導体メモリに記憶されてもよい。
【００３３】
ＡＶ入出力／電源基板８は、図示されないテレビ受像機やオーディオ機器などのＡＶ機器が接続され、ディスクＤ１から再生した映像信号や音声信号の出力、ＡＶ機器からの映像信号や音声信号の入力が行なわれる。また、ＡＶ入出力／電源基板８は、光ディスク記録装置１の動作電源電圧を供給する電源部（図示せず）を含む。
【００３４】
表示部９は、制御部１６の指示に応じて書換回数を表示する。また、表示部９は、制御部１６から警告を表示するように指示されると所定の警告を表示する。なお、光ディスク記録装置１にテレビ受像機（図示せず）が接続されている場合、表示部９に表示される情報と同じ情報が図示されないテレビ受像機に表示されてもよい。
【００３５】
指示入力部１０は、図示されないユーザから送られる書換指示や書換回数の表示指示、初期化指示を受け、これらの指示を制御部１６に送る。
【００３６】
図２は、図１のディスクＤ１のフォーマットを説明する図である。図２を参照して、ディスクＤ１のフォーマットはＴＯＣ(Table of Contents)領域２２，ユーザＴＯＣ領域２３およびデータ領域２４を含む。ＴＯＣ領域２２およびユーザＴＯＣ領域２３は管理領域である。ユーザＴＯＣ領域２３は書換回数が格納される書換回数領域２３Ａと初期化回数が格納される初期化回数領域２３Ｂとを含む。データ領域には映像や音声などのデータ情報が記録される。
【００３７】
図３は、図１の光ディスク記録装置１による書換処理を示すフローチャートである。図３を参照して処理が開始されると、ステップＳ１では指示入力部１０を介してユーザから書換指示が入力される。ステップＳ２において制御部１６は書換指示に応じ、記録再生部１１にディスクＤ１から書換回数を読み出す第１の読出指示を送る。記録再生部１１は第１の読出指示に応じてディスクＤ１のユーザＴＯＣ領域２３（書換回数領域２３Ａ）から書換回数を読出す。制御部１６は記録再生部１１から書換回数を取得する。
【００３８】
なお、図３のフローチャートで示す書換処理以前に、本発明の光ディスク記録装置とは別の光ディスク記録装置によってディスクＤ１のデータの書換が行なわれていた場合、書換回数領域２３Ａには書換回数が記録されていない。この場合、ステップＳ２において、たとえば制御部１６は表示部９に対し「書換回数が不明です。」と表示するように指示を送る。
【００３９】
ステップＳ３において、制御部１６は書換回数が第１のしきい値以上であるか否かを判定する。第１のしきい値は予め設定された値であり、ディスクの書換可能回数として保証されている保証書換回数に対して十分余裕があるが、ある程度大きな値として適切に定められた値である。一例を示すと、保証書換回数は１００回であり、第１のしきい値は５０回である。
【００４０】
なお、限界に達するまでの書換回数はディスクにより異なる。よって、ディスクごとに限界に達するまでの書換回数を調べて第１のしきい値を設定すれば、書換回数が限界に近いかどうかに関する、より正確な情報をユーザに表示することができる。しかし、ディスクごとに書換回数を調べて第１のしきい値を設定すると処理時間が長くかかるため、ユーザの利便性が低下する。よって本発明の光ディスク記録装置では、保証書換回数および第１のしきい値の各々には設定された値が用いられる。
【００４１】
ステップＳ３において書換回数が第１のしきい値以上の場合（ステップＳ３においてＹＥＳの場合）、処理はステップＳ４に進む。一方、ステップＳ３において書換回数が第１のしきい値未満である場合（ステップＳ３においてＮＯの場合）、処理はステップＳ９に進む。後述するようにステップＳ９ではデータが実際に記録される。つまり、書換回数が第１のしきい値未満であればデータの書換がすぐに開始される。
【００４２】
ステップＳ４において、制御部１６は書換回数が第２のしきい値以上であるか否かを判定する。第２のしきい値は第１のしきい値よりも大きく、上述の保証書換回数より低い値として適切に定められる。たとえば第２のしきい値は８０回である。
【００４３】
ステップＳ４において書換回数が第２のしきい値未満である場合、処理はステップＳ５に進む。処理がステップＳ５に進むということは、書換回数が第１のしきい値と第２のしきい値との間である第１の範囲にあることを示す。ステップＳ５において制御部１６は表示部９に対して第１の警告指示を送り、第１の警告を表示するよう指示する。第１の警告はたとえば「書換回数が多くなっています。」という文である。
【００４４】
一方、ステップＳ４において書換回数が第２のしきい値以上の場合（ステップＳ４においてＹＥＳの場合）、処理はステップＳ６に進む。処理がステップＳ６に進むということは書換回数が第２のしきい値より多い第２の範囲にあることを示す。ステップＳ６において制御部１６は表示部９に対して第２の警告指示を送り、第２の警告を表示するよう指示する。第２の警告はたとえば「ディスクの書換回数が限界に近づいているので書換が正常に行なえない可能性があります。」という文である。なお、ステップＳ５，Ｓ６において制御部１６は表示部９に書換回数を表示するように指示してもよい。
【００４５】
ステップＳ５またはステップＳ６に続き、ステップＳ７において制御部１６はユーザにデータの書換を行なうか否かを決定させるため、たとえば「記録を行ないますか（Ｙ／Ｎ）」という表示を行なうように表示部９に指示する。制御部１６は指示入力部１０を介してユーザから送られる実行指示または中止指示を受ける。
【００４６】
ステップＳ８において制御部１６は、ユーザから送られる指示が実行指示か中止指示かのいずれであるかを判定する。ステップＳ８においてユーザの指示が実行指示である場合（ステップＳ８においてＹＥＳの場合）、処理はステップＳ９に進む。一方、ステップＳ８においてユーザの指示が中止指示である場合（ステップＳ８においてＮＯの場合）、処理は終了する。
【００４７】
ステップＳ９において、制御部１６はＡＶ入出力／電源基板８や記録再生部１１等を制御し、ディスクＤ１のデータ領域２４に記録されているデータの書換を行なう。ステップＳ１０において、制御部１６は記録再生部１１から読出した書換回数を＋１回増やす。ステップＳ１１において制御部１６は記録再生部１１に対し更新後の書換回数をディスクＤ１の書換回数領域２３Ａに記録するよう指示する。記録再生部１１は指示を受けてディスクＤ１の書換回数を書換える。ステップＳ１１の処理が終了すると書換処理が終了する。
【００４８】
このように本発明の光ディスク記録装置では予め定められた第１、第２のしきい値に基づいて、実際の書換回数が第１の範囲、第２の範囲、第１、第２の範囲以外の範囲（第１のしきい値よりも小さい範囲）のいずれの範囲にあるかを判定する。
【００４９】
また、本発明の光ディスク記録装置は書換回数が第１の範囲にある場合、および書換回数が第２の範囲にある場合のそれぞれの場合にユーザに対する第１、第２の警告を表示する。よってユーザは、そのディスクの書換回数が限界に近いか否かを判断することができる。
【００５０】
また、本発明の光ディスク記録装置は、書換回数が保証書換回数よりも少ない段階でユーザに対して警告を行なうので、ディスクを交換することなくデータの記録を行なうことができる。
【００５１】
図４は、本発明の光ディスク記録装置による書換回数表示処理を示すフローチャートである。書換回数表示処理とはディスクの書換回数を表示するとともにデータの書換えを行なわない処理であり、たとえばユーザがディスクの書換回数を参照したいときなどに行なわれる。
【００５２】
図４を参照して処理が開始されると、ステップＳ１１では指示入力部１０を介してユーザから表示指示が入力される。
【００５３】
ステップＳ２，Ｓ３，Ｓ４の各ステップにおける処理は図３のフローチャートのステップＳ２，Ｓ３，Ｓ４のうちの対応するステップの処理とそれぞれ同様であるので以後の説明は繰り返さない。なお、図４のフローチャートについては、以後、図３のフローチャートと異なるステップの処理についてのみ説明する。
【００５４】
ステップＳ３においてＮＯの場合、ステップＳ３Ａにおいて制御部１６は表示部９に書換回数を表示するように指示する。なお、書換回数が第１のしきい値未満である（すなわち書換回数が第１、第２の範囲以外の範囲にある）ので制御部１６は表示部９に対して警告を表示する指示は行なわない。
【００５５】
ステップＳ４において書換回数が第２のしきい値未満である場合（ステップＳ４においてＮＯの場合）、書換回数は第１の範囲にある。この場合、処理はステップＳ５Ａに進む。ステップＳ５Ａにおいて制御部１６は表示部９に対し書換回数を表示するよう指示するとともに、第１の警告指示を送る。表示部９は書換回数と上述の第１の警告（たとえば「書換回数が多くなっています。」という文）とを表示する。
【００５６】
ステップＳ４において書換回数が第２のしきい値以上である場合（ステップＳ４においてＹＥＳの場合）、書換回数は第２の範囲にある。この場合、処理はステップＳ６Ａに進む。ステップＳ６Ａにおいて制御部１６は表示部９に対し書換回数を表示するよう指示するとともに、第２の警告指示を送る。表示部９は書換回数と上述の第２の警告（たとえば「ディスクの書換回数が限界に近づいているので書換が正常に行なえない可能性があります。」という文）とを表示する。ステップＳ３Ａ，Ｓ５Ａ，Ｓ６Ａのいずれかのステップの処理が終了すると表示処理が終了する。
【００５７】
従来の光ディスク記録装置では、ユーザは光ディスクの書換回数が限界に達しているか否かは実際にデータの書換を行なってみなければ知ることができなかった。本発明の光ディスク記録装置では、このように書換処理を行なわなくてもユーザがディスクの書換回数を知ることができるので、ユーザは書換処理を行なう前に予め複数のディスクの中から書換回数に応じて適切にディスクを選択することができる。よってユーザの利便性が向上する。
【００５８】
図５は、本発明の光ディスク記録装置による初期化処理を示すフローチャートである。図５を参照して処理が開始されると、ステップＳ２１においてユーザから指示入力部１０を介して制御部１６に初期化指示が入力される。
【００５９】
ステップＳ２２において、制御部１６は初期化指示に応じ、記録再生部１１に対してディスクＤ１（ユーザＴＯＣ領域２３）から書換回数および初期化回数を読み出すよう第２の読出指示を送る。なお、記録再生部１１は第２の読出指示に応じてユーザＴＯＣ領域２３に含まれる書換回数領域２３Ａおよび初期化回数領域２３Ｂからそれぞれ書換回数および初期化回数を読み出すが、記録再生部１１は第２の読出指示に応じてユーザＴＯＣ領域２３に記録されている情報をすべて読出してもよい。
【００６０】
ステップＳ２３において制御部１６は記録再生部１１から書換回数および初期化回数を取得して、内部に記憶する。これによって、ディスクＤ１が初期化されても初期化以前の書換回数や初期化回数の情報が消失するのを防ぐことができる。
【００６１】
ステップＳ２４では制御部１６は記録再生部１１に対しディスクＤ１を初期化するよう指示する。記録再生部１１は、図２のユーザＴＯＣ領域２３およびデータ領域２４に記録された情報をヌル（０）データで上書きする。なお、記録再生部１１はユーザＴＯＣ領域２３のデータのみをヌルデータで上書きしてもよい。
【００６２】
ステップＳ２５において制御部１６は内部に記憶していた初期化回数を更新する（初期化回数を＋１増やす）。ステップＳ２６において制御部１６は記録再生部１１に対し、内部に記憶していた書換回数および初期化回数（この初期化回数は更新後の初期化回数である）をディスクＤ１のユーザＴＯＣ領域２３に記録するよう指示する。ステップＳ２６においてディスクＤ１に書換回数および初期化回数が記録されると初期化処理は終了する。
【００６３】
なお、制御部１６はステップＳ２６の処理の後において表示部９に対し、初期化回数を表示するように指示してもよい。また、制御部１６はディスクＤ１の初期化処理を行なわずに初期化回数のみを表示する処理を行なってもよい。この場合、たとえば制御部１６はユーザから初期化回数表示指示を受けたことに応じ、ディスクＤ１から初期化回数を読出すよう記録再生部１１に指示し、記録再生部１１から取得した初期化回数を表示するように表示部９に指示する。このようにすればユーザはディスクＤ１の初期化回数を知ることができる。
【００６４】
以上のように本発明の実施の形態によれば、低い第１、第２のしきい値とディスクに記録された書換回数とを比較し、書換回数が第１のしきい値以上であれば書換回数に応じて所定の警告を表示するので、ユーザはディスクの書換回数が限界に近づいていることを知ることができる。
【００６５】
また、本発明の実施の形態によれば、第１、第２のしきい値がディスク保証書換回数よりも低い値に設定されているので、警告が表示された状態のディスクであってもデータが記録できる。
【００６６】
また、本発明の実施の形態によれば、ディスクの書換回数を表示することができるので実際にデータをディスクに記録する前にディスクの書換回数が限界に近づいているかどうかをユーザが把握することができる。
【００６７】
また、本発明の実施の形態によれば、ディスクの初期化を行なう前に予めディスクに記録された書換回数および初期化回数が一旦制御部に保存されることにより、ユーザは書換回数や初期化回数を正確に知ることができる。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６９】
【図１】本発明の実施の形態の光ディスク記録装置の概略ブロック図である。
【図２】図１のディスクＤ１のフォーマットを説明する図である。
【図３】図１の光ディスク記録装置１による書換処理を示すフローチャートである。
【図４】本発明の光ディスク記録装置による書換回数表示処理を示すフローチャートである。
【図５】本発明の光ディスク記録装置による初期化処理を示すフローチャートである。
【符号の説明】
【００７０】
１  光ディスク記録装置、４  ローダ、６  制御基板、８  ＡＶ入出力／電源基板、９  表示部、１０  指示入力部、１１  記録再生部、１２  ＯＰＵ、１４  エンコーダ、１６  制御部、２１  リードイン領域、２２  ＴＯＣ領域、２３  ユーザＴＯＣ領域、２３Ａ  書換回数領域、２３Ｂ  初期化回数領域、２４  データ領域、２５  リードアウト領域、Ｄ１  ディスク、Ｓ１〜Ｓ２６，Ｓ３Ａ，Ｓ５Ａ，Ｓ６Ａ  ステップ。
【図１】
2006252597.tif 000003
【図２】
2006252597.tif 000004
【図３】
2006252597.tif 000005
【図４】
2006252597.tif 000006
【図５】
2006252597.tif 000007